(57)【要約】【課題】十分な耐振性を有しながらも、情報端末を車内の電子機器に簡易かつ確実に接続することが可能な車載固定構造を提供する。【解決手段】固定ガイド５００によってカード型ＰＣ２００を左右及び上から抑え込むことで、振動を抑制しながらも、カード型ＰＣ２００を正常位置に確実に固定する。また、カード型ＰＣ２００が正常位置に載置された後に、カード型ＰＣ２００のコネクタＣ１に向けて、外部機器６００のコネクタＣ２を移動させることで、カード型ＰＣ２００と外部機器６００を確実に接続する。このため、コネクタ接続が不完全であったためにコネクタ外れなどが生じるといった問題を未然に防ぐことが可能となる。【選択図】図１
2019111978.tif 000002
【特許請求の範囲】
【請求項１】
情報端末が車内の載置台に載置されたことを検知する検知センサと、
前記情報端末を前記載置台に固定するための固定ガイドと、
コントローラとを備えた車載固定構造であって、
前記コントローラは、
前記検知センサによる前記情報端末の検知を契機として、少なくとも前記情報端末の両側面を中央に向けて抑え込むように、前記固定ガイドを制御するガイド制御部と、
前記固定ガイドによって前記情報端末の抑え込みが行われた後、前記情報端末のコネクタに向けて外部機器のコネクタを移動し、嵌合させることで前記情報端末と前記外部機器とを接続する接続制御部と
を具備する、情報端末用の車載固定構造。
【請求項２】
前記接続制御部は、
前記情報端末と前記外部機器との接続を解除すべき指示を受け取った場合、前記外部機器のコネクタを前記情報端末から外し、
前記ガイド制御部は、
前記外部機器のコネクタが前記情報端末から外された場合、前記固定ガイドを、前記情報端末を抑え込む前の位置に戻す、請求項１に記載の情報端末用の車載固定構造。
【請求項３】
前記接続制御部は、
前記情報端末と前記外部機器との接続に失敗した場合、エラーメッセージを出力し、
前記ガイド制御部は、
前記エラーメッセージが出力された場合、前記固定ガイドを、前記情報端末を抑え込む前の位置に戻す、請求項１または２に記載の情報端末用の車載固定構造。
【請求項４】
前記固定ガイドは、断面視略逆Ｌ字形状の１対の固定ガイドによって構成され、
前記ガイド制御部は、
前記検知センサによる前記情報端末の検知を契機として、前記情報端末の両側面及び上面を中央に向けて抑え込むように、前記固定ガイドを制御する、請求項１から３のいずれか一項に記載の情報端末用の車載固定構造。
【請求項５】
車内の載置台を含む端末収容部と、
前記端末収容部の上方を覆うシャッタと、
情報端末が前記載置台に載置されたことを検知する検知センサと、
前記情報端末を前記載置台に固定するための固定材と、
コントローラとを備えた車載固定構造であって、
前記コントローラは、
前記検知センサによる前記情報端末の検知を契機として、前記情報端末の上面を覆うように、前記シャッタを閉じるシャッタ制御部と、
前記シャッタが閉じられた後、前記情報端末の下面及び前端部分と前記端末収容部との間に生じた隙間を、前記固定材で充填する充填制御部と、
前記固定材が充填された後、前記情報端末のコネクタに向けて外部機器のコネクタを移動し、嵌合させることで前記情報端末と前記外部機器とを接続する接続制御部と
を具備する、情報端末用の車載固定構造。
【請求項６】
前記接続制御部は、
前記情報端末と前記外部機器との接続を解除すべき指示を受け取った場合、前記外部機器のコネクタを前記情報端末から外し、
前記充填制御部は、
前記外部機器のコネクタが前記情報端末から外された場合、前記隙間に充填された前記固定材を、充填前の状態に戻し、
前記シャッタ制御部は、
前記固定材が充填前の位置に戻された場合、前記シャッタを開ける、請求項５に記載の情報端末用の車載固定構造。
【請求項７】
前記接続制御部は、
前記情報端末と前記外部機器との接続に失敗した場合、エラーメッセージを出力し、
前記充填制御部は、
前記エラーメッセージが出力された場合、前記隙間に充填された前記固定材を、充填前の状態に戻し、
前記シャッタ制御部は、
前記固定材が充填前の位置に戻された場合、前記シャッタを開ける、請求項５または６に記載の情報端末用の車載固定構造。
【発明の詳細な説明】
【技術分野】
【０００１】
本発明は、車内に情報端末を固定するための車載固定構造に関する。
【背景技術】
【０００２】
近年、スティック型パソコンやカード型パソコンといった小型情報端末が注目を集めている。小型情報端末は、様々な用途が考えられており、例えば車のカーナビ装置などに接続することで高解像度な動画や音楽、ゲームなどを楽しむ、といったことが考えられる。
【０００３】
しかしながら、車に小型情報端末を設置するためには、振動対策などが必須となる。特に、小型情報端末と車内の電子機器（カーナビ装置など）を接続するコネクタ部分などにおいて、振動による接触不良や脱落などを防止する必要がある。
【０００４】
車内での振動を低減するために、例えば特許文献１には、過酷な環境下で使用される車載用の電子機器（ナビゲーション装置など）の函体内に、振動に弱いハードディスクドライブ（ＨＤＤ）ユニットを、着脱可能に取り付けるための構造であって、耐振性の余裕度を向上させた防振構造が開示されている。かかる防振構造においては、振動に弱いＨＤＤユニットを電子機器のホルダに装着する部分に、振動を減衰させる振動減衰手段（防振ゴムなど）を設け、ホルダを案内部材によって筐体内の収納位置に案内し、電気的な接続を行って、ＨＤＤユニットを電子機器の内部構成要素として電気的に動作させる。
【先行技術文献】
【特許文献】
【０００５】
【特許文献１】特開２００３−３１４６１３号公報
【発明の概要】
【発明が解決しようとする課題】
【０００６】
しかしながら、特許文献１の構成では、利用者等が自ら、ＨＤＤユニットを電子機器のホルダに着脱しなければならず、煩雑な作業が強いられるという問題がある。また、ＨＤＤユニットと電子機器との間に振動減衰手段を設けるだけでは、耐振性が十分でないという問題もある。
【０００７】
本発明は、以上説明した事情を鑑みてなされたものであり、十分な耐振性を有しながらも、情報端末を車内の電子機器に簡易かつ確実に接続することが可能な車載固定構造を提供することを目的の一つとする。
【課題を解決するための手段】
【０００８】
本発明の一実施形態に係る情報端末用の車載固定構造は、情報端末が車内の載置台に載置されたことを検知する検知センサと、情報端末を載置台に固定するための固定ガイドと、コントローラとを備えた車載固定構造であって、コントローラは、検知センサによる情報端末の検知を契機として、少なくとも情報端末の両側面を中央に向けて抑え込むように、固定ガイドを制御するガイド制御部と、固定ガイドによって情報端末の抑え込みが行われた後、情報端末のコネクタに向けて外部機器のコネクタを移動し、嵌合させることで情報端末と外部機器とを接続する接続制御部とを具備することを要旨とする。
【０００９】
本発明の他の形態に係る情報端末用の車載固定構造は、車内の載置台を含む端末収容部と、端末収容部の上方を覆うシャッタと、情報端末が載置台に載置されたことを検知する検知センサと、情報端末を載置台に固定するための固定材と、コントローラとを備えた車載固定構造であって、コントローラは、検知センサによる情報端末の検知を契機として、情報端末の上面を覆うように、シャッタを閉じるシャッタ制御部と、シャッタが閉じられた後、情報端末の下面及び前端部分と端末収容部との間に生じた隙間を、固定材で充填する充填制御部と、固定材が充填された後、情報端末のコネクタに向けて外部機器のコネクタを移動し、嵌合させることで情報端末と外部機器とを接続する接続制御部とを具備することを要旨とする。
【発明の効果】
【００１０】
本発明によれば、十分な耐振性を有しながらも、情報端末を車内の電子機器に簡易かつ確実に接続することが可能となる。
【図面の簡単な説明】
【００１１】
【図１】第１実施形態に係る車載固定構造の外観を示す図である。
【図２】車載固定構造の要部断面図である。
【図３】車載固定構造の載置エリアを例示した図である。
【図４】車載固定構造を断面から見た模式図である。
【図５】固定処理フローである。
【図６】解除処理フローである。
【図７】第２実施形態に係る車載固定構造の要部上面図である。
【図８】車載固定構造１０００ａを断面から見た模式図である。
【図９】固定処理フローである。
【図１０】解除処理フローである。
【図１１】スティック型ＰＣを例示した図である。
【発明を実施するための形態】
【００１２】
以下、本発明の実施形態について図面を参照しつつ詳細に説明する。なお、以下の説明において同一の要素には同一の符号を付し、重複する説明を省略する。
【００１３】
Ａ．第１実施形態
図１は、第１実施形態に係る車載固定構造１０００の外観を示す図であり、図２は、車載固定構造１０００の要部断面図である。以下の説明では、車載固定構造１０００を利用して、スティック型パソコン（以下、「スティック型ＰＣ」ともいう。）やカード型パソコン（以下、「カード型ＰＣ」ともいう。）などに代表される小型情報端末（本実施形態ではカード型ＰＣを想定）２００を車内に固定する態様を例示するが、これに限る趣旨ではなく、例えばタブレット端末やウェアラブル端末、ノートパソコンなど、様々な電子機器（情報端末）を車内に固定する態様にも適用可能である。
【００１４】
車載固定構造１０００は、図３に示すようにセンターコンソール１１０や、コンソールボックス１２０など、カード型ＰＣ２００を載置可能なエリア（以下、「載置エリア」ともいう。）Ａに設けられる。カード型ＰＣ２００は、たとえば本体サイズがＷ；９４５ｍｍ、Ｄ；５５ｍｍ、Ｈ；５ｍｍで設計されており、ＣＰＵやＲＯＭ、ＲＡＭなどを備えたプロセッサ、各種メモリやストレージ、各種無線通信装置（Ｗｉ−Ｆｉや、Ｂｌｕｅｔｏｏｔｈ（登録商標）など）を備えて構成される。
【００１５】
カード型ＰＣ２００の後面部Ｂｓには、外部機器６００と接続するための通信インタフェースとして、例えばコネクタ規格に準拠したＵＳＢ Ｔｙｐｅ−ＣのコネクタＣ１が設けられている。外部機器６００は、例えばカーナビゲーション装置などを想定するが、例えば液晶パネルやモバイル端末など、カード型ＰＣ２００と接続可能なあらゆる電子機器に適用可能である。
【００１６】
車載固定構造１０００は、カード型ＰＣ２００が載置エリアＡに置かれたことを検知するカード検知センサ３００を備えている。カード検知センサ３００として、例えば質量検知センサや赤外線センサなどを利用することもできるが、様々なカメラ（ＣＭＯＳカメラなど）を利用してもよい。カード検知センサ３００としてカメラを利用する場合には、カード型ＰＣ２００が載置エリアＡに置かれたことを検知するだけでなく、カード型ＰＣ２００が載置エリアＡに正しい向きで置かれたか（すなわち、カード型ＰＣ２００の後面部Ｂｓが、外部機器のコネクタＣ２に対向するように載置されているか）、カード型ＰＣ２００の表裏が間違っていないか、さらにはカード型ＰＣ２００の種類が正しいかを検知できる。
【００１７】
コントローラ４００は、ＣＰＵ、ＲＯＭ、ＲＡＭなどを主要構成部品とするＭＣＵ（Micro Control Unit）などを備えており、ＲＯＭやＲＡＭに格納された各種プログラム等を実行することにより、車載固定構造１０００の各部を統括的に制御する。
【００１８】
固定ガイド５００は、載置エリアＡに載置されたカード型ＰＣ２００の長手方向に沿って設けられている。固定ガイド５００は、断面からみて略逆Ｌ字形状の１対の金属製ガイド（左側の金属製ガイドＧＬ及び右側の金属製ガイドＧＲ）によって構成されている。
【００１９】
固定ガイド５００は、コントローラ（ガイド制御部）４００による制御のもと、載置エリアＡに載置されたカード型ＰＣ２００の両側面Ｌｓ、Ｒｓを左右方向から中央に向けて抑え込むとともに、カード型ＰＣ２００の上面Ｕｓを中央に向けて抑え込むことで、カード型ＰＣ２００を載置エリアＡの略中央（具体的には、外部機器６００のコネクタＣ２と接続が可能となる位置；以下、「正常位置」ともいう。）に固定する。
【００２０】
ここで、カード型ＰＣ２００を左右からだけでなく、上からも抑え込むのは次の理由による。すなわち、固定ガイドを用いてカード型ＰＣ２００を左右からから抑え込んだだけでは、振動に弱くなってしまう。このため、本実施形態に係る固定ガイド５００では、左右のみならず、上からも抑え込む構成を採用する。具体的には、１対の金属製ガイドＧＬ、ＧＲのそれぞれの屋根部Ｒｆにより、カード型ＰＣ２００を上から抑え込むことを可能としている。なお、金属製ガイドＧＬ、ＧＲの長さＬ１や屋根部Ｒｆの突出長さＬ２は、カード型ＰＣ２００を固定するのに最適な長さを選択すればよい。また、固定ガイド５００の内側（すなわち、カード型ＰＣ２００と固定ガイド５００が当接する部分）に（耐熱）緩衝材などを設けてもよい。
【００２１】
以下、載置エリアＡにカード型ＰＣ２００を載置してから、カード型ＰＣ２００が外部機器６００に接続されるまでの流れについて、図４及び図５を参照しながら説明する。
図４は、車載固定構造１０００を断面から見た模式図であり、図５は、コントローラ４００によって実行される固定処理フローである。
【００２２】
図４のＡに示すように、載置エリアＡにカード型ＰＣ２００が置かれていない状況下では、固定ガイド５００はスタート位置Ｐｓで待機する（ステップＳ１）。その後、図４のＢに示すように、ユーザ（例えば、ドライバ）によって載置エリアＡにカード型ＰＣ２００が置かれると、カード検知センサ３００は、カード型ＰＣ２００を検知した旨のメッセージをコントローラ４００に送る。
【００２３】
コントローラ（ガイド制御部）４００は、カード型ＰＣ２００を検知した旨のメッセージを受信すると（ステップＳ２）、カード型ＰＣ２００を載置エリアＡの略中央（すなわち正常位置）に載置されるよう、固定ガイド５００によるカード型ＰＣ２００の左右及び上からの抑え込み制御を行う（ステップＳ３；図４のＣ参照）。そして、コントローラ（接続制御部）４００は、カード型ＰＣ２００の後面部Ｂｓに設けられたコネクタＣ１に向けて外部機器６００のコネクタＣ２を移動させることで、カード型ＰＣ２００と外部機器６００とを嵌合させ、コネクタ接続することを試みる（ステップＳ４）。コントローラ４００は、カード型ＰＣ２００と外部機器６００のコネクタ接続に成功すると（ステップＳ４；ＹＥＳ）、以上説明した処理を終了する。
【００２４】
一方、コントローラ（接続制御部）４００は、何らかの要因（例えば、カード型ＰＣ２００の向きが正しくない、表裏が逆である、カードの種類が異なるなど）によってカード型ＰＣ２００と外部機器６００のコネクタ接続に失敗すると（ステップＳ４；ＮＯ）、エラーランプを点滅する、あるいは音声によるエラーメッセージを出力する（ステップＳ５）。そして、コントローラ（ガイド制御部）４００は、固定ガイド５００をスタート位置Ｐｓ（すなわち、カード型ＰＣ２００を抑え込む前の位置）に戻すなどして車載固定構造１０００を初期状態に戻し（ステップＳ６）、ステップＳ１に戻る。ユーザは、エラーメッセージ等に従って、載置エリアＡにカード型ＰＣ２００を置き直す。カード検知センサ３００は、カード型ＰＣ２００が置き直されたことを検知すると、カード型ＰＣ２００を検知した旨のメッセージをコントローラ４００に送る。なお、この後の動作については、上述した一連の処理と同様に説明することができるため、割愛する。
【００２５】
以上説明したように、本実施形態によれば、固定ガイド５００によってカード型ＰＣ２００を左右及び上から抑え込むことで、振動を抑制しながらも、カード型ＰＣ２００を正常位置に確実に固定することが可能となる。また、カード型ＰＣ２００が正常位置に載置された後に、カード型ＰＣ２００のコネクタＣ１に向けて、外部機器６００のコネクタＣ２を移動させ、嵌合させることで、カード型ＰＣ２００と外部機器６００を確実に接続する。このため、コネクタ接続が不完全であったためにコネクタ外れなどが生じるといった問題を未然に防ぐことが可能となる。
【００２６】
上記実施形態では、カード型ＰＣ２００と外部機器６００とを接続する場合について説明したが、カード型ＰＣ２００と外部機器６００との接続を解除（リリース）する場合の動作についても同様に説明することができる。
【００２７】
図６は、コントローラ４００によって実行される解除処理フローである。
コントローラ（接続制御部）４００は、カード型ＰＣ２００と外部機器６００との接続をリリースすべきコマンドを受信すると（ステップＳ１１）、外部機器６００のコネクタＣ２をカード型ＰＣ２００から外す（ステップＳ１２）。
【００２８】
そして、コントローラ（ガイド制御部）４００は、固定ガイド５００をスタート位置Ｐｓ（すなわち、カード型ＰＣ２００を抑え込む前の位置）に戻すなどして車載固定構造１０００を初期状態に戻し（ステップＳ１３）、処理を終了する。なお、カード型ＰＣ２００と外部機器６００との接続をリリースすべきコマンドは、例えばＡＣＣ電源がＯＦＦされた場合や、ユーザによって所定の操作が行われた場合にコントローラ４００に出力されるように構成すればよい。
【００２９】
また、上記実施形態では、カード型ＰＣ２００を上から抑え込むために、カード型ＰＣ２００の上面Ｕｓの一部を覆う屋根部Ｒｆを備えた一対の金属製ガイドＧＬ、ＧＲを例示したが、例えばカード型ＰＣ２００の上面Ｕｓの全体を覆う屋根部Ｒｆを備えた一対の金属製ガイドＧＬ、ＧＲを設けてもよい。
【００３０】
また、カード型ＰＣ２００の両側面Ｌｓ、Ｒｓを左右方向から抑え込むガイドと、カード型ＰＣ２００の上面Ｕｓを上から抑え込むガイドを別々に設け、各ガイドによる抑え込み動作をコントローラ４００で制御することにより、カード型ＰＣ２００の抑え込みを実施してもよい。
【００３１】
なお、カード型ＰＣ２００の両側面Ｌｓ、Ｒｓを左右方向から抑え込むガイドがあれば、振動を低減することが可能となるため、カード型ＰＣ２００の上面Ｕｓを上から抑え込むガイドを省いてもよい。例えば、断面視略逆Ｌ字形状の１対の金属製ガイドを設ける代わりに、断面視略Ｉ字形状の１対の金属製ガイドを設けてもよい。
【００３２】
Ｂ．第２実施形態
図７は、第２実施形態に係る車載固定構造１０００ａの要部上面図であり、図８は、第２実施形態に係る車載固定構造１０００ａを断面から見た模式図である。なお、図７及び図８に示す車載固定構造１０００ａにおいて、図１、図２及び図４に示す車載固定構造１０００と対応する部分には、同一符号を付し、詳細な説明は省略する。
【００３３】
第２実施形態に係る車載固定構造１０００ａは、シャッタ５００ａと固定材５００ｂとを備えている。
【００３４】
シャッタ５００ａは、カード型ＰＣ２００が収容される収容部（端末収容部）５００ｃへの異物等の侵入を防止するとともに、カード型ＰＣ２００の上部を規制するものであり、例えばポリ塩化ビニルや金属などによって形成されている。シャッタ５００ａの開閉操作は、コントローラ４００によって制御される。シャッタ５００ａは、例えば走行中やカード型ＰＣ２０と外部機器６００のコネクタＣ２が接続されている間は、コントローラ４００によって開かないように（すなわち「閉状態」を維持するように）制御される。
【００３５】
固定材５００ｂは、例えば熱吸収兼用の固定材（ダンパなど）であり、ポリエチレンやゴム、衝撃吸収ゲルのようなゲル化素材など、様々な材料によって形成さている。コントローラ（充填制御部）４００は、シャッタ５００ａが閉じられた場合に、カード型ＰＣ２００の下面Ｄｓ及び前端部分Ｐと収容部５００ｃとの間に生じた隙間を埋める（充填する）ように、固定材５００ｂの形状、位置を制御する。なお、本実施形態では、シャッタ５００aの裏面（すなわち、シャッタ５００ａを閉じた状態でカード型ＰＣ２００が対向する面）Ｂにも固定材５００ｂが貼り付けられている場合を例示しているが、固定材５００ｂが張り付けられていない態様であってもよい。
【００３６】
図９は、第２実施形態に係るコントローラ４００によって実行される固定処理フローである。なお、以下では、シャッタ５００ａが閉じられている状態を初期状態として説明するが（図８のＡ参照）、シャッタ５００ａが閉じられていない状態を初期状態として設定してもよい。
ユーザによる所定のボタン操作等により、カード型ＰＣ２００を載置する旨のコマンドが入力されると、コントローラ４００は、シャッタ５００ａを開動作する制御を行う（ステップＳ１ａ）。その後、ユーザによって収容部５００ｃの載置エリアＡにカード型ＰＣ２００が置かれると（図８のＢ参照）、カード検知センサ３００は、カード型ＰＣ２００を検知した旨のメッセージをコントローラ４００に送る。
【００３７】
コントローラ（シャッタ制御部）４００は、カード型ＰＣ２００を検知した旨のメッセージを受信すると（ステップＳ２ａ）、カード型ＰＣ２００を載置エリアＡの略中央（すなわち正常位置）に載置されるよう、シャッタ５００ａを閉動作する制御を行う（ステップＳ３ａ）。そして、コントローラ（充填制御部）４００は、カード型ＰＣ２００の下面Ｄｓ及び前端部分Ｐと収容部５００ｃとの間に生じた隙間を埋める（充填する）ように、固定材５００ｂの形状、位置を制御することで、カード型ＰＣ２００とシャッタ５００ａとを密着させ、カード型ＰＣ２００の位置調整を行う（ステップＳ４ａ；図８のＣ参照）。
【００３８】
そして、コントローラ（接続制御部）４００は、カード型ＰＣ２００のコネクタＣ１に向けて外部機器６００のコネクタＣ２を移動させることで、カード型ＰＣ２００と外部機器６００とを嵌合させ、コネクタ接続することを試みる（ステップＳ５ａ）。コントローラ４００は、カード型ＰＣ２００と外部機器６００のコネクタ接続に成功すると（ステップＳ５ａ；ＹＥＳ）、以上説明した処理を終了する。
【００３９】
一方、コントローラ（接続制御部）４００は、何らかの要因（例えば、カード型ＰＣ２００の向きが正しくない、表裏が逆である、カードの種類が異なるなど）によってカード型ＰＣ２００と外部機器６００のコネクタ接続に失敗すると（ステップＳ５ａ；ＮＯ）、エラーランプを点滅する、あるいは音声によるエラーメッセージを出力する（ステップＳ６ａ）。そして、コントローラ（充填制御部、シャッタ制御部）４００は、隙間に充填された固定材５００ｂの形状、位置を、充填前に戻した後、シャッタ５００ａを開動作するなどして車載固定構造１０００を初期状態に戻し（ステップＳ７ａ）、ステップＳ１ａに戻る。ユーザは、エラーメッセージ等に従って、載置エリアＡにカード型ＰＣ２００を置き直す。カード検知センサ３００は、カード型ＰＣ２００が置き直されたことを検知すると、カード型ＰＣ２００を検知した旨のメッセージをコントローラ４００に送る。なお、この後の動作については、上述した一連の処理と同様に説明することができるため、割愛する。
【００４０】
以上説明したように、シャッタ５００ａと固定材５００ｂとを利用してカード型ＰＣ２００を正常位置に確実に固定するようにしてもよい。なお、第１実施形態と同様、カード型ＰＣ２００が正常位置に載置された後に、カード型ＰＣ２００のコネクタＣ１に向けて、外部機器６００のコネクタＣ２を移動させることで、カード型ＰＣ２００と外部機器６００を確実に接続する。このため、コネクタ接続が不完全であったためにコネクタ外れなどが生じるといった問題を未然に防ぐことが可能となる。
【００４１】
上記実施形態では、カード型ＰＣ２００と外部機器６００とを接続する場合について説明したが、カード型ＰＣ２００と外部機器６００との接続を解除（リリース）する場合の動作についても同様に説明することができる。
【００４２】
図１０は、コントローラ４００によって実行される解除処理フローである。
コントローラ（接続制御部）４００は、カード型ＰＣ２００と外部機器６００との接続をリリースすべきコマンドを受信すると（ステップＳ１１ａ）、外部機器６００のコネクタＣ２をカード型ＰＣ２００のコネクタＣ１から外す（ステップＳ１２ａ）。そして、コントローラ（充填制御部、シャッタ制御部）４００は、隙間に充填された固定材５００ｂの形状、位置を、充填前に戻した後、シャッタ５００ａを開動作するなどして車載固定構造１０００ａを初期状態に戻し（ステップＳ１３ａ）、処理を終了する。なお、カード型ＰＣ２００と外部機器６００との接続をリリースすべきコマンドは、第１実施形態と同様、例えばＡＣＣ電源がＯＦＦされた場合や、ユーザによって所定の操作が行われた場合にコントローラ４００に出力されるように構成すればよい。
【００４３】
Ｃ．その他
本発明は、上述した実施形態に限定されるものではなく、本発明の要旨を逸脱しない範囲内において、他の様々な形で実施することができる。このため、上記実施形態はあらゆる点で単なる例示にすぎず、限定的に解釈されるものではない。例えば、上述した各処理ステップは処理内容に矛盾を生じない範囲で任意に順番を変更し、または並列に実行することができる。
【００４４】
例えば、カード検知センサ３００としてカメラを利用する場合には、カード型ＰＣ２００が載置エリアＡに置かれたことを検知するだけでなく、載置されたカード型ＰＣ２００の向きが間違っていることや、カード型ＰＣ２００の表裏が間違っていること、さらにはカード型ＰＣ２００のカード種類が間違っていることを検知することができる。よって、カード検知センサ３００がこれらの間違いを検知した場合、コントローラ４００は、エラーメッセージを報知する（例えば、音声メッセージを出力する、あるいはエラーランプを点滅するなど）ようにしてもよい。
【００４５】
また、本実施形態では、図１に示すようなカード型ＰＣ２００を固定する場合について説明したが、図１１に示すようなスティック型ＰＣ２００を固定する場合にも同様に説明することができる。スティック型ＰＣ２００の後面部Ｂｓには、例えばＨＤＭＩ（登録商標）（High-Definition Multimedia Interface）に準拠したコネクタＣ１が設けられている。外部機器６００には、ＨＤＭＩ（登録商標）に準拠したコネクタＣ２が設けられている。スティック型ＰＣ２００のコネクタＣ１に向けて外部機器６００のコネクタＣ２を移動し、スティック型ＰＣ２００と外部機器６００とを嵌合させることで、確実に接続することが可能となる。なお、上記例では、カード型ＰＣ２００やスティック型ＰＣ２００の後面部ＢｓにコネクタＣ１が設けられる態様を例示したが、後面部Ｂｓ以外にコネクタＣ１が設けられる態様であってもよい。
【００４６】
本明細書において上述した各処理におけるステップは、処理内容に矛盾を生じない範囲で任意に順番を変更し、または並列に実行することができる。
【００４７】
本明細書において説明した各処理を実施するプログラムは、記録媒体に記憶させてもよい。この記録媒体を用いれば、車載固定構造１０００、１０００ａを構成するコンピュータに、上記プログラムをインストールすることができる。ここで、上記プログラムを記憶した記録媒体は、非一過性の記録媒体であっても良い。非一過性の記録媒体は特に限定されないが、例えば、ＣＤ−ＲＯＭ等の記録媒体であっても良い。
【符号の説明】
【００４８】
１０００，１０００ａ…車載固定構造、２００…小型情報端末、３００…カード検知センサ、４００…コントローラ、５００…固定ガイド、６００…外部機器、Ｃ１，Ｃ２…コネクタ、Ａ…載置エリア、ＧＬ，ＧＲ…金属製ガイド、Ｂｓ…後面部、Ｒｆ…屋根部、Ｐｓ…スタート位置、５００ａ…シャッタ、５００ｂ…固定材、５００ｃ…収容部、Ｄｓ…下面、Ｐ…前端部分。
【図１】
2019111978.tif 000003
【図２】
2019111978.tif 000004
【図３】
2019111978.tif 000005
【図４】
2019111978.tif 000006
【図５】
2019111978.tif 000007
【図６】
2019111978.tif 000008
【図７】
2019111978.tif 000009
【図８】
2019111978.tif 000010
【図９】
2019111978.tif 000011
【図１０】
2019111978.tif 000012
【図１１】
2019111978.tif 000013